(57)【要約】【課題】従来の炊飯器の場合、コンセントが抜かれている時にはバックアップ手段から電源を供給して、ＬＣＤに現在時刻を表示しているのでコンセントを抜いている時間が長いとバックアップ手段が消耗しやすいという課題があった。【解決手段】炊飯器本体１と、炊飯器本体の内部に収納され米と水を入れる鍋２と、鍋の上部開口部を開閉自在に覆う外蓋５と、鍋を加熱する加熱手段３と、マイクロコンピュータを備えた制御手段１１と、操作手段２２と、動作状態および現在時刻を表示する表示手段２７と、マイクロコンピュータの電源をバックアップするバックアップ手段１６と、予約設定手段２９とを有し、交流電源が印加されていない時には表示手段に現在時刻を表示しないようにする。【選択図】図１
2012040157.tif 000002
【特許請求の範囲】
【請求項１】
炊飯器本体と、前記炊飯器本体の内部に収納され米と水を入れる鍋と、前記鍋の上部開口部を開閉自在に覆う外蓋と、前記鍋を加熱する加熱手段と、マイクロコンピュータを備えた制御手段と、操作手段と、動作状態および現在時刻を表示する表示手段と、前記マイクロコンピュータの電源をバックアップするバックアップ手段と、予約設定手段とを有し、交流電源が印加されていない時には前記表示手段に現在時刻を表示しないことを特徴とする炊飯器。
【請求項２】
現在時刻表示設定手段を有し、交流電源が印加されていない時に前記現在時刻表示設定手段が押されると、前記表示手段に現在時刻を表示することを特徴とする請求項１に記載の炊飯器。
【請求項３】
動作誘導手段を有し、交流電源が印加されていない時に前記動作誘導手段が押されると、前記表示手段に現在の状況を回避する手段を表示することを特徴とする請求項１または２に記載の炊飯器。
【発明の詳細な説明】
【技術分野】
【０００１】
本発明は、バックアップ手段を有するマイコンを搭載した炊飯器に関するものである。
【背景技術】
【０００２】
従来、炊飯器は現在時刻を計時して動作モードに応じて現在時刻をＬＣＤに表示している。また、タイマー機能を有し、ご飯が炊き上がる時刻を任意に設定することが出来、その設定した時刻を記憶している。また、リチウム電池などのバックアップ手段を搭載し、交流電源が印加されなくなった時には、直前の炊飯器の動作状態を記憶し、なおかつバックアップ手段から供給された電源によりＬＣＤに現在時刻を表示する構成にしている（例えば、特許文献１参照）。
【０００３】
すなわち使用者がコンセントを抜いた場合、コンセントを抜く直前の状態が記憶されていて、ＬＣＤには現在時刻が表示されている。コンセントが抜かれている間も現在時刻のカウントは継続しているので現在時刻が、ずれるという事もない。
【０００４】
その後、使用者が再びコンセントを挿入すると、コンセントを抜く直前の状態に応じて動作するように制御しているので、炊飯器を移動させて使用することが出来る。例えば、台所で炊飯し、炊飯完了後は食事を行う場所に炊飯器を移動させて使用するといった使い方をすることも可能である。またタイマー機能を有する炊飯器の場合、タイマー時刻設定後にコンセントを抜いても現在時刻は継続してカウントしているので、使用者が再びコンセントを挿入すれば、タイマー設定時刻に炊飯終了するように制御する。
【先行技術文献】
【特許文献】
【０００５】
【特許文献１】特開２００３−３３９５２５号公報
【発明の概要】
【発明が解決しようとする課題】
【０００６】
しかしながら、このような従来の炊飯器の場合、コンセントが抜かれている時にはバックアップ手段から電源を供給して、ＬＣＤに現在時刻を表示しているのでコンセントを抜いている時間が長いとバックアップ手段が消耗しやすいという課題があった。
【課題を解決するための手段】
【０００７】
本発明は上記目的を達成するために、炊飯器本体と、前記炊飯器本体の内部に収納され米と水を入れる鍋と、前記鍋の上部開口部を開閉自在に覆う外蓋と、前記鍋を加熱する加熱手段と、マイクロコンピュータを備えた制御手段と、操作手段と、動作状態および現在時刻を表示する表示手段と、前記マイクロコンピュータの電源をバックアップするバックアップ手段と、予約設定手段とを有し、交流電源が印加されていない時には前記表示手段に現在時刻を表示しないようにしたものである。
【０００８】
これにより、コンセントが抜かれている時にバックアップ手段から供給される負荷電流を減少させることが出来るので、バックアップ手段の消耗を抑えることが可能である。その結果、従来よりもバックアップ手段が消耗しにくい炊飯器を提供することが出来る。
【発明の効果】
【０００９】
本発明の炊飯器は、コンセントが抜かれている時にバックアップ手段から供給される負荷電流を減少させることが出来るので、バックアップ手段の消耗を抑えることができる。
その結果、従来よりもバックアップ手段が消耗しにくい炊飯器を提供することが出来、バックアップ手段交換までの年数を伸ばした炊飯器を提供する事が出来る。
【図面の簡単な説明】
【００１０】
【図１】本発明の実施の形態１における炊飯器のブロック図
【図２】本発明の実施の形態１における炊飯器の断面図
【図３】本発明の実施の形態１における表示手段の表示例を示す図
【図４】本発明の実施の形態２における炊飯器のブロック図
【図５】本発明の実施の形態２における表示手段の表示例を示す図
【図６】本発明の実施の形態３における炊飯器のブロック図
【図７】本発明の実施の形態３における表示手段の表示例を示す図
【発明を実施するための形態】
【００１１】
第１の発明は、炊飯器本体と、前記炊飯器本体の内部に収納され米と水を入れる鍋と、前記鍋の上部開口部を開閉自在に覆う外蓋と、前記鍋を加熱する加熱手段と、マイクロコンピュータを備えた制御手段と、操作手段と、動作状態などを表示する表示手段と、マイクロコンピュータの電源をバックアップするバックアップ手段と、予約設定手段と、現在時刻表示機能とを有し、交流電源が印加されていない時には前記表示手段に現在時刻を表示しない機能を有する構成としたものであり、コンセントが抜かれている時にバックアップ手段から供給される負荷電流を減少させることが出来るので、バックアップ手段の消耗を抑えることが可能である。その結果、従来よりもバックアップ手段が消耗しにくい炊飯器を提供することが出来、バックアップ手段交換までの年数を伸ばした炊飯器を提供する事が出来る。
【００１２】
第２の発明は、上記第１の発明において、現在時刻表示設定手段を有し、交流電源が印加されていない時に前記現在時刻表示設定手段が押されると、表示手段に現在時刻を表示する機能を有する構成としたものであり、ＬＣＤに何も表示されていない状態を使用者が故障だと勘違いしないように配慮した構成としている。その結果、コンセントが抜かれている時にバックアップ手段から供給される負荷電流を減少させてバックアップ手段の消耗を抑えるとともに、現在時刻表示設定手段を押すとＬＣＤに現在時刻が表示されて使用者が容易に炊飯器の動作状態を認識できるので、誤って炊飯器が故障したという判断を防止することが出来る。
【００１３】
第３の発明は、上記第１もしくは第２の発明において、動作誘導手段を有し、交流電源が印加されていない時に前記動作誘導手段が押されると、表示手段に現在の状況を回避する手段を表示する機能を有する構成としたものであり、ＬＣＤに何も表示されていない状態を回避する為に配慮した構成としている。その結果、コンセントが抜かれている時にバックアップ手段から供給される負荷電流を減少させてバックアップ手段の消耗を抑えるとともに、動作誘導手段を押すと、表示手段に現在の状況を回避する手段を表示されてＬＣＤに何も表示されていない状態から回避する手段を使用者が容易に認識できるので、誤って炊飯器が故障したという判断を防止することが出来る。
【００１４】
（実施の形態１）
図１は、本発明の実施の形態１における炊飯器のブロック図を示し、図２は、同炊飯器の断面図、図３は表示手段の表示例を示すものである。
【００１５】
図２に示すように、炊飯器本体１は、内部に米と水を入れる鍋２を着脱自在に収納し、この鍋２はステンレス、鉄などの磁性体によって形成している。鍋２の上部開口部を外蓋５で開閉自在に覆っている。加熱コイル（加熱手段）３は、鍋２の底面外側に配設し、高周波電源から供給される高周波電流により交番磁界を発生し、この交番磁界で鍋２を誘導
加熱している。加熱コイル３の巻線方向に対して、その巻線方向がほぼ直交するように、高透磁性の磁性材料で形成したフェライト（図示せず）を加熱コイル３の外側近傍に配置している。フェライトは、加熱コイル３による磁界が炊飯器本体の外部へ漏れるのを防止するとともに、鍋２への誘導加熱を促進する。
【００１６】
ここで鍋２への加熱方法が誘導加熱による場合について述べているが、鍋２への加熱方法がシーズヒータによるものであっても本発明の効果については何ら変わることは無い。
【００１７】
鍋温度センサ６は鍋２の温度を検知するもので、サーミスタで構成し、その抵抗値により鍋２の温度を検知している。制御基板７は、図１に示す制御手段１１と電力供給手段１２とを有し、制御手段１１はマイクロコンピュータ１３を有し、鍋温度センサ６の出力と、炊飯開始スイッチ２１からの入力信号と、メニュー選択手段４、予約設定手段２９からの入力信号とを入力している。
【００１８】
交流電源１４が供給されている時には、交流電源１４からの入力電圧が直流電圧変換手段１５に入力され、直流電圧変換手段１５からの出力が回路用電源としてマイクロコンピュータを有する制御手段１１にも供給されている。交流電源１４の供給が無くなった時にバックアップ手段１６からの電源供給が行われ、マイクロコンピュータの電源をバックアップするようにしている。また、交流電源１４が供給されている時にはバックアップ手段１６からの電源供給は行わないように構成している。
【００１９】
また、制御基板７は、電力供給手段１２を構成する高周波電源と加熱コイル３との間に設けたＩＧＢＴ等の半導体パワー素子のスイッチングにより、加熱コイル３へ高周波電流を供給し、スイッチング周波数によって供給電力を制御できるようにし、加熱コイル３の加熱量を制御して鍋２を加熱し、鍋２内の米と水を炊飯するよう構成している。
【００２０】
ここで鍋２への加熱方法が誘導加熱による場合について述べているが、鍋２への加熱方法がシーズヒータによるものであっても本発明の効果については何ら変わることは無い。
【００２１】
その場合、制御手段１１と電力供給手段１２は、シーズヒータとの間に設けたリレー等のスイッチングによりヒータを通電させて鍋２を加熱し、鍋２内の米と水を炊飯するよう構成する。
【００２２】
表示手段２７は、使用者がメニュー選択手段４により選択したメニューの選択状態を表示するもので、ＬＣＤ２８および、表示エリア（図示せず）を有し、このＬＣＤ２８に少なくとも２つ以上ある炊飯メニューの中から選択した炊飯メニューを表示し、表示エリアには選択可能なメニューを表示するようにしている。また待機モードや特定メニューの炊飯中の場合には、ＬＣＤ２８に現在時刻を表示するようにしている。また、予約設定手段により予約を設定済みの場合には、ＬＣＤに予約時刻を表示するようにしている。
【００２３】
また、ブザーで構成した報知手段（図示せず）を備え、操作部２２において炊飯開始スイッチ２１を受け付けた時や、炊飯終了時に鳴動するようにしている。
【００２４】
上記構成において動作、作用を説明する。使用者がコンセントを抜いた場合、交流電源１４からの供給が無くなる為、バックアップ手段１６からの電源供給が行われ、マイクロコンピュータの電源をバックアップするので、コンセントを抜く直前の動作状態を記憶している。この時、ＬＣＤには現在時刻を表示しないように制御する。
【００２５】
その後、使用者が再びコンセントを挿入すると、コンセントを抜く直前の状態に応じて動作するように制御する。例えば、タイマー時刻設定後にコンセントを抜いた場合には、
コンセントが抜かれている間も現在時刻は継続してカウントしているので、使用者が再びコンセントを挿入すれば、当初のタイマー設定時刻に合わせて炊飯終了するように制御する。
【００２６】
あるいは、保温中にコンセントを抜いた場合には、使用者が再びコンセントを挿入すれば、再び保温を継続するように制御する。
【００２７】
以上のように、本実施の形態においては、コンセントが抜かれている時にバックアップ手段から供給される負荷電流を減少させることが出来るので、バックアップ手段の消耗を抑えることが可能である。その結果、従来よりもバックアップ手段が消耗しにくい炊飯器を提供することが出来、バックアップ手段交換までの年数を伸ばした炊飯器を提供する事が出来る。
【００２８】
さらに本実施の形態では、バックアップ時の負荷電流を低減する為の構成を新たに設ける必要が無いので、新規構成の追加に伴う新規投資の必要が無く、バックアップ手段の消耗しにくい炊飯器を安価に提供することが出来る。
【００２９】
（実施の形態２）
コンセントが抜かれている時に、使用者が現在時刻表示設定手段２４を押すと、表示手段に現在時刻を表示する。
【００３０】
図４は、本発明の実施の形態２における炊飯器のブロック図を示し、図５は表示手段の表示例を示すもので、現在時刻を表示している。
【００３１】
以上のように、本実施の形態においては、ＬＣＤに何も表示されていない状態を使用者が故障だと勘違いしないように配慮した構成としており、コンセントが抜かれている時にバックアップ手段から供給される負荷電流を減少させてバックアップ手段の消耗を抑えるとともに、現在時刻表示設定手段２４を押すとＬＣＤに現在時刻が表示されて使用者が容易に炊飯器の動作状態を認識できるので、誤って炊飯器が故障したという判断を防止することが出来る。
【００３２】
（実施の形態３）
コンセントが抜かれている時に、使用者が動作誘導手段３０を押すと、表示手段に現在の状況を回避する手段を表示する。
【００３３】
図６は、本発明の実施の形態３における炊飯器のブロック図を示し、図７は表示手段の表示例を示すもので、現在時刻を表示している。
【００３４】
以上のように、本実施の形態においては、ＬＣＤに何も表示されていない状態を回避する為に配慮した構成としており、コンセントが抜かれている時にバックアップ手段から供給される負荷電流を減少させてバックアップ手段の消耗を抑えるとともに、動作誘導手段３０を押すと、表示手段に現在の状況を回避する手段を表示されてＬＣＤに何も表示されていない状態から回避する手段を使用者が容易に認識できるので、誤って炊飯器が故障したという判断を防止することが出来る。
【産業上の利用可能性】
【００３５】
以上のように、本発明にかかる炊飯器は、コンセントが抜かれている時にバックアップ手段から供給される負荷電流を減少させることが出来るので、バックアップ手段の消耗を抑えることができる。その結果、従来よりもバックアップ手段が消耗しにくい炊飯器を提供することが出来、バックアップ手段交換までの年数を伸ばした炊飯器を提供する事が出
来る。
【符号の説明】
【００３６】
１  炊飯器本体
２  鍋
３  加熱コイル（加熱手段）
４  メニュー選択手段
５  外蓋
６  鍋温度センサ
１１  制御手段
１２  電力供給手段
１６  バックアップ手段
２１  炊飯開始スイッチ
２２  操作部（操作手段）
２４  現在時刻表示設定手段
２７  表示手段
２８  ＬＣＤ
２９  予約設定手段
３０  動作誘導手段
【図１】
2012040157.tif 000003
【図３】
2012040157.tif 000004
【図４】
2012040157.tif 000005
【図５】
2012040157.tif 000006
【図６】
2012040157.tif 000007
【図７】
2012040157.tif 000008
【図２】
2012040157.tif 000009